(57)【要約】【課題】着用性を向上させると共に、より確実に着用者の身体に固定可能なエプロンを提供する。【解決手段】着用者の両肩及び首回りを覆う上面シート部２と、前記上面シート部２と一体に設けられ、少なくとも着用者の胸部及び腹部を覆う前面シート部３と、前記上面シート部３に設けられた首通し孔４と、前記上面シート部２から延びる紐部５と、前記前面シート部３に設けられ、前記紐部５を通す紐孔６と、を備える。【選択図】図１
2018204154.tif 000002
【特許請求の範囲】
【請求項１】
着用者の両肩及び首回りを覆う上面シート部と、
前記上面シート部と一体に設けられ、少なくとも着用者の胸部及び腹部を覆う前面シート部と、
前記上面シート部に設けられた首通し孔と、
前記上面シート部から延びる紐部と、
前記前面シート部に設けられ、前記紐部を通す紐孔と、を備えたことを特徴とするエプロン。
【請求項２】
前記紐孔は、着用者の腰部左右位置付近に設けられることを特徴とする請求項１に記載のエプロン。
【請求項３】
上面シート部の左右両端に腕通しスリットを備えることを特徴とする請求項１または２に記載のエプロン。
【請求項４】
前記上面シート部の左右端部と前記紐部とを結ぶ線が、滑らかな曲線からなることを特徴とする請求項１から３のいずれか１項に記載のエプロン。
【請求項５】
着用時、前記上面シート部と前記前面シート部との連結位置が着用者の胸部の高さと略一致するように設定され、
前記連結位置の左右両端に切欠き部が形成されていると共に、
前記左右の切欠き部間の距離が、前記前面シート部の幅と略一致する、
ことを特徴とする請求項１から４のいずれか１項に記載のエプロン。
【請求項６】
前記前面シート部の上部に前記前面シート部の外側に突出する拡張部を設け、
前記拡張部に前記紐孔を設けたこと、を特徴とする請求項１から５のいずれか１項に記載のエプロン。
【請求項７】
前記紐孔の上下方向の中心線が、前記前面シート部の上下方向中央位置において前記前面シート部の外側を通るように設定されることを特徴とする請求項６に記載のエプロン。
【請求項８】
前記拡張部は、前記上面シート部及び前記前面シート部を滑らかな曲線で一体的に連結していることを特徴とする請求項６又は７に記載のエプロン。
【請求項９】
前記腕通しスリットの中心位置を、前記首通し孔の中心を通る左右方向の中心線よりも着用者の前面側に設けたことを特徴とする請求項１から８のいずれか１項に記載のエプロン。
【発明の詳細な説明】
【技術分野】
【０００１】
本発明はエプロン、特に使い捨てエプロンに関する。
【背景技術】
【０００２】
使い捨てエプロンとしては、例えば、特許文献１記載のエプロンが知られている。特許文献１記載のエプロンは、着用者の胸から腰を覆う前面シート部に設けられた第１紐部と、着用者の両肩から首回りを覆う上面シート部に設けられた第２紐部とを備える。そして、該エプロンの着用時には、第１紐部と第２紐部とを用いて該エプロンを着用者の身体に固定させている。
【先行技術文献】
【特許文献】
【０００３】
【特許文献１】実用新案登録第３２０８６１２号
【発明の概要】
【発明が解決しようとする課題】
【０００４】
特許文献１記載のエプロンにあっては、二組の紐部を用いることでエプロンを確実に着用者の身体に固定させることとしている。しかしながら、二組の独立した紐部を用いていることから、着用時の動作が煩瑣となる問題があった。
【０００５】
本開示は上記問題点に鑑みてなされたもので、着用性を向上させると共に、より確実に着用者の身体に固定可能なエプロンを提供することを目的とする。
【課題を解決するための手段】
【０００６】
上記課題を解決するために、本開示に係るエプロンは、着用者の両肩及び首回りを覆う上面シート部と、前記上面シート部と一体に設けられ、少なくとも着用者の胸部及び腹部を覆う前面シート部と、前記上面シート部に設けられた首通し孔と、前記上面シート部から延びる紐部と、を備え、前記前面シート部に、前記紐部を通す紐孔を設けた。
【発明の効果】
【０００７】
本開示に係るエプロンにあっては、着用者の両肩及び首回りを覆う上面シート部から延びる紐部を、少なくとも着用者の胸部及び腹部を覆う前面シート部に設けられた紐孔を通すように構成した。即ち、紐部を着用者の背面から前面シート部の紐孔へ通し、これを着用者の背面（具体的には腰部付近）で結ぶように構成した。したがって、紐部により左右方向だけでなく、上下方向からもエプロンを着用者の体に固定させることができる。
【図面の簡単な説明】
【０００８】
【図１】本開示の実施例に係るエプロンを全体的に示す概略図である。
【図２】本開示の実施例に係るエプロンの変形例を全体的に示す概略図である
【図３Ａ】図１のエプロンの装着手順を説明するための説明図である。
【図３Ｂ】図１のエプロンの装着手順を説明するための説明図である。
【図３Ｃ】図１のエプロンの装着手順を説明するための説明図である。
【図４】図１のエプロンを装着した状態を示す図である。
【発明を実施するための形態】
【０００９】
以下、本開示に係るエプロンの具体的な実施例について、図面を参照して説明する。
【実施例】
【００１０】
図１は、本実施例に係るエプロン１を全体的に示す概略図である。エプロン１は、原則使い捨てエプロンとして利用され、例えば、医療従事者と患者との直接的又は間接的な接触を防ぎ、感染病（ウイルス感染や血液感染）の発生を予防するために用いられる。特に、患者の処置時に生じる嘔吐、咳、くしゃみや、汚物や、飛散する血液との接触を防止するために重要な役割を果たす。
【００１１】
エプロン１は、例えば一枚の合成樹脂（ポリエチレン、ポリ塩化ビニル、不織布等）の薄肉シートからなり、図示の形状に裁断（型抜き）することで形成される。なお、薄肉シートの型抜きについては種々の手法を採用することができるが、本発明の要旨とは直接関係しないため詳細な説明は省略する。
【００１２】
図１に示すように、本実施例に係るエプロン１は、中心線に対して左右対称な形状をした半袖エプロンからなり、着用者の両肩及び首周りを覆う上面シート部２と、少なくとも着用者の胸部及び腹部（より正確には、着用者の胸部からひざ付近まで）を覆う前面シート部３と、上面シート部２から着用者の背面側へ延びる紐部５とを有する。
【００１３】
上面シート部２には、左右方向中心位置において、着用者の首を通す首通し孔４が設けられると共に、左右方向両端において、着用者の左右の腕を通すための腕通しスリット７が設けられる。
【００１４】
前面シート部３には、上部、即ち上面シート部２側に、前面シート部３の外側に向けて滑らかに突出する拡張部１０が設けられる。拡張部１０は、上面シート部２と前面シート部３とを繋ぐ位置に設けられ、より具体的には、エプロン１の着用時において、着用者の左右の腰部付近に相当する位置に設けられる。また、拡張部１０は、上面シート部２と前面シート部３とが、滑らかな曲線Ｃ２で一体的に連結されるように形成される。
【００１５】
さらに、拡張部１０には紐部５を通す紐孔６が穿設される。ここで、紐孔６は、上下方向の中心線が、前面シート部３の外側（より正確には、前面シート部３の上下方向における略中央位置において、該中心線が前面シート部３の外側）を通るような位置に設けられる。
【００１６】
また、エプロン１は、上面シート部２と前面シート部３との連結位置（図１において線ｌ１で示す位置）が、エプロン１の着用時において着用者の胸部の高さと略一致する位置となるよう、上面シート部２の長さや首通し孔４の位置が調節される。
【００１７】
首通し孔４は、全周の長さが、成人の平均的な頭の周長（頭囲）と略同等か、それ以下の長さとなるように設定されている。ただし、エプロン１が合成樹脂製の薄肉シートから形成されているため、着用者は、首通し孔４を拡げることでエプロン１を容易に着用することができる。また、首通し孔４の大きさを比較的小さく設定することにより、着用者の首元に隙間が発生しないように設計されている。
【００１８】
左右の紐部５は、付け根部分（紐部５と上面シート部２との接合部）の幅が拡大するように、上面シート部２の左右端部と紐部５とを結ぶ線（Ｃ１）が、滑らかな曲線を形成している。また、左右の紐部５と紐部５との間も滑らかな曲線で結ばれている。紐部５を上記の如く形成することで、紐部５を着用者の背面で結ぶ際、上面シート部２を上下方向のみならず左右方向からも着用者の身体に固定（フィット）させることが可能となる。即ち、紐部５と上面シート部２の結合部において紐部５の幅（左右方向長さ）を拡く採ることにより、エプロン１の着用時に、上面シート部２が左右方向にずれるのを抑制することができる。また、左右の紐部５の外縁と対応する上面シート部２の外縁との距離Ｄ１は、上面シート部２が左右方向にずれるのを十分に抑制できるような距離に設定される。
【００１９】
上面シート部２の左右端部は、エプロン１が前方に引っ張られた状態でも着用者の肩後方が露出するのを防ぐことができると共に、着用者が手を挙げた際に脇下部分がつっぱり、着心地を損ねることのないような形状に設定される。
【００２０】
上面シート部２と前面シート部３との間、より正確には、上面シート部２と前面シート部３に設けられた拡張部１０との間には、切欠き部８が形成される。切欠き部８は、エプロン１の着用時に着用者の脇付近前側に当たる位置に設けられ、着用者の腕の動作が制限されることを防ぐ。一方、本実施例では、着用者が前傾姿勢を取った場合等に腕部や脇部が露出するのを防ぐため、前述した先行技術分権に係るエプロンに比し、切欠き部８の切欠き量を少なくしている。
【００２１】
具体的には、左右の切欠き部８間の距離（Ｌ１）が、前面シート部３の幅、より正確には、前面シート部３に設けられた拡張部１０の端点（非拡張部）における前面シート部３の幅（Ｗ１）と略一致するように、該切欠き部８の切欠き量が調節されている。
【００２２】
なお、後述するように、本実施例に係るエプロン１は、紐部５を着用者の背面から紐孔６に通した後、着用者の背面で結ぶように構成しているため、エプロン１の上面シート部２及び上面シート部２と一体的に形成された前面シート部３が全体的に背面側に引っ張られることとなる。そのため、本実施例に係るエプロン１の前面シート部３の長さを、従来技術におけるエプロンに比して（例えば、４０ｍｍほど）長くしても良い。
【００２３】
また、図２に示ように、本開示に係るエプロン１にあっては、上面シート部２と紐部５との接合部を１カ所とし、途中から２本に分かれた紐部５を着用者の背面から左右の紐孔６に通す構成としても良い。かかる場合にあっても、上面シート部２及び全面シート部３を、上下左右の両方向から着用者の身体に固定（フィット）させることが可能である。
【００２４】
次に、図３Ａから図３Ｃを参照しながら、本実施例に係るエプロン１の装着手順を説明する。図３Ａから図３Ｃは、エプロン１の各装着手順を、着用者の正面、背面、側面からそれぞれ撮影した図である。
【００２５】
先ず図３Ａに示すように、着用者の首をエプロン１の首通し孔４に通す。続いて、図３Ｂに示すように、着用者の両腕を左右の腕通しスリット７にそれぞれ挿入した後、両腕をさらに左右の紐孔６に挿入する（仮り通しする）。さらに、図３Ｃに示すように、両腕を紐孔６に仮り通しした状態のまま、左右の手でそれぞれ左右の紐部５を掴み、紐部５を掴んだまま両腕を紐孔６から引き抜く。即ち、着用者の背面側（肩付近）にあった紐部５を、紐孔６を介してエプロン１の表面側まで持ってくる。なお、結果的に紐孔６を通して紐部５をエプロン１の裏面側から表面側に持ってくることができれば、その手順自体は上記したものと異なっていても良い。即ち、両腕を紐孔６に仮り通しすることなく、紐部５を直接紐孔６に通すようにしても良い。その後、紐孔６を通した紐部を適度に引っ張ることでエプロン１を着用者の身体にフィットさせ、この状態で紐部５を着用者の背面、例えば腰付近で結んでエプロン１を固定させる。エプロン１を着用者に装着した状態を図３に示す。
【００２６】
本実施例に係るエプロン１にあっては、上記のように構成したので、エプロン１を着用者の身体に確実にフィット（固定）させることができる。即ち、着用者の首を首通し孔４に通すことで、エプロン１全体に対する首の位置を概ね定めた後、上面シート部２から延びる紐部５を、着用者の肩付近から前面シート部３（より具体的には、着用者の腰付近）に設けた紐孔６へ向けて下方に引っ張る構成としたことにより、上下方向におけるエプロン１の位置を固定することができる。さらに、該紐孔６を通した紐部５を、さらに横方向（背面側中心方向）に引っ張って結ぶ構成としたため、左右方向においてもエプロン１の位置を固定することができる。換言すれば、１組の紐部５のみによって、上下左右の両方向からエプロン１の位置を固定することができる。また、従来技術のように、複数組（二組）の紐部を用いてエプロン１を固定する構成と異なり、上面シート部２から延びる一組の紐部５のみでエプロン１を固定することができるため、装着に係る手間を簡略化できる。
【００２７】
また、該紐孔６は、エプロン１において着用者の左右の腰部付近に設けられている。これにより、着用者は容易に紐部５を紐孔６に通すことができると共に、腕を自由に動かすことができる。
【００２８】
また、上面シート部２の左右両端に腕通しスリット７が形成されている。これにより、エプロン１に対する着用者の腕の位置を決めることができ、作業中にエプロン１の肩部分が露出してしまうのを防止することができる。
【００２９】
なお、腕通しスリット７の中心位置７１は、首通し孔４の中心を通り左右方向に延びる中心線ｌ２よりも、着用者の前面側に設けられている。また、腕通しスリット７は、その中心位置７１に対して上下対象とはならず、外側上方に向けて傾く形状（即ち、Ｖの字状）とすることが好ましい。このように構成することで、腕通しスリット７と切欠き部８との距離が短くなり、切欠き部８、即ち着用者の脇付近における生地の余りを減らすことができる。また、ヒトの腕は、後側（背面側）に比して前側の可動域が広く、種々の動作も身体の正面で行うことが多いため、腕通しスリット７をＶの字状に形成することで、着用者がより容易に腕を動かすことが可能となる。
【００３０】
また、紐部５同士の距離Ｄ１が、首通し孔４の左右方向の長さＬ１と略同等又は長さＬ１以上となるように設けられている。即ち、各紐部５を、それぞれ着用者の肩に近い位置に設けるようにしたため、着用時に肩が露出してしまうのを防ぐことができる。
【００３１】
また、上面シート部２の左右両端と紐部５とは、滑らかな曲線Ｃ２で結ばれている。このため、紐部５を着用者の背面側から下方向に引っ張った場合に、上下方向だけでなく、左右方向においても上面シート部２（エプロン１）を固定する効果が生じる。即ち、従来技術に係るエプロンにあっては、片側の紐部を着用者の身体に固定したとしても、肩の両端付近を覆う生地の動きが該紐部によって規制されることがないため、作業中に肩が露出してしまう虞がある。本実施例に係るエプロン１にあっては、かかる問題を解消することができる。
【００３２】
また、上面シート部２と前面シート部３との間に形成された左右の切欠き部８間の距離Ｌ１は、前面シート部３の幅（より正確には、拡張部１０を除いた幅）Ｗ１と略一致するように構成されている。即ち、従来技術に比して切欠き部８の切欠き量を少なくしている。かかる構成とすることにより、作業時に腕部や脇部が露出するのを防ぐことができる。なお、上述したように、本実施例に係るエプロン１は、従来技術に比してより身体にフィットする構成となっているため、切欠き部８の切欠き量を少なくしても、着用者の動きによってエプロンの前面シート部等がつっぱってしまい、着用者の動きを制限してしまうという不都合が発生しない。
【００３３】
また、前面シート部３の上部（具体的には、着用者の腰付近の位置）に、外側に突出する拡張部１０を設け、該拡張部１０に紐孔を設けている。これにより、着用者は、紐部５を容易に紐孔６に通すことができる。
【００３４】
また、拡張部１０に設けられた紐孔は、上下方向における中心線が、前面シート部３の外側（より正確には、前面シート部３の上下方向における略中央位置において、該中心線が前面シート部３の外側）を通る位置に設けられている。これにより、着用者は、紐部５をより容易に紐孔６に通すことができる。
【００３５】
また、拡張部１０と上面シート部２とは滑らかな曲線Ｃ２で一体的に連結している。これにより、紐孔６を有する拡張部１０部分がエプロン１の内側等に折れ曲がり、紐部５を紐孔６に通し難くなる、という不都合を回避することができる。
【００３６】
また、腕通しスリット７の中心位置７１を、首通し孔４の中心線ｌ２よりも前面側に設けている。上述したように、本実施例に係るエプロン１は、上面シート部２から延びた紐部５を、着用者の背面から腰付近の紐孔６に向けて下方向に引っ張ることで固定される。即ち、エプロン１が全体的に背面側に引っ張られるように構成されている。このため、従来技術同様に、腕通しスリット７の位置を首通し孔４の中心線ｌ２と一致させてしまうと、袖の前側が露出してしまう虞がある。これに対し、本実施例に係るエプロン１は、上記のように構成したので、着用時に袖の前側が露出するのを防ぐことができると共に、着用者は自由に腕を動かすことが可能となる。
【００３７】
以上、本実施例に係るエプロン１について説明したが、本開示に係るエプロンの具体的な構成は、必ずしも添付の図面及び上記した形状に限定されるものではない。例えば、上面シート部２や前面シート部３等の形状や各構成比率は、本発明の要旨を逸脱しない範囲において設計の変更が可能であることは言うまでもない。
【符号の説明】
【００３８】
１  エプロン、２  上面シート部、３  前面シート部、４  首通し孔、５  紐部、６  紐孔、７  袖通しスリット、８  切欠き部、１０  拡張部
【図１】
2018204154.tif 000003
【図２】
2018204154.tif 000004
【図３Ａ】
2018204154.tif 000005
【図３Ｂ】
2018204154.tif 000006
【図３Ｃ】
2018204154.tif 000007
【図４】
2018204154.tif 000008